(57)【要約】【課題】無線通信によって認証を行うシステムにおいて、ユーザが利用可能な端末のうち最適なものを自動的に選択して、ユーザの利便性を向上させること。【解決手段】本発明は、ユーザが所持する認証デバイスである無線ＵＩＭ１０との間で無線通信によって認証を行う複数の端末ａ〜ｄおよびこの複数の端末ａ〜ｄと接続されるＩＰ電話サーバ（通信制御装置）２０とを備える通信制御システムにおいて、ＩＰ電話サーバ２０は、無線ＵＩＭ１０との間で認証が成立した端末が複数ある場合、この複数の端末から各端末のアドレスおよび処理能力を示す情報ならびに認証デバイスの識別情報を取得する情報取得手段と、情報取得手段で複数の端末のアドレスおよび処理能力を示す情報を取得した場合、情報取得手段で取得した認証デバイスの識別情報からその識別情報宛のデータを取り扱い可能な処理能力を有する端末を複数の端末の中から選択する選択手段とを備えている。【選択図】図１
2007053641.tif 000002
【特許請求の範囲】
【請求項１】
認証デバイスとの間で無線通信によって認証が成立した複数の端末のうち、前記認証デバイスと対応する最適な端末を選択する通信制御装置において、
前記複数の端末から各端末のアドレスおよび処理能力を示す情報ならびに前記認証デバイスの識別情報を取得する情報取得手段と、
前記情報取得手段で前記複数の端末のアドレスおよび処理能力を示す情報を取得した場合、前記情報取得手段で取得した前記認証デバイスの識別情報からその識別情報宛のデータを取り扱い可能な処理能力を有する端末を前記複数の端末の中から選択する選択手段と
を備えることを特徴とする通信制御装置。
【請求項２】
複数の端末における優先順位を設定する優先順位設定手段を備えており、
前記選択手段は、前記識別情報宛のデータを取り扱い可能な端末が複数ある場合、その複数の端末のうち前記優先順位設定手段によって設定された優先順位に従って１つの端末を選択する
ことを特徴とする請求項１記載の通信制御装置。
【請求項３】
前記選択手段によって選択された端末を前記認証デバイスのユーザに通知する通知手段を備えている
ことを特徴とする請求項１記載の通信制御装置。
【請求項４】
認証デバイスとの間で無線通信によって認証が成立した複数の端末のうち、前記認証デバイスと対応する最適な端末を選択する通信制御装置において、
前記複数の端末からその端末のアドレスおよび処理能力を示す情報ならびに前記認証デバイスの識別情報および処理要求情報とを取得する情報取得手段と、
前記情報取得手段で前記複数の端末のアドレスおよび処理能力を示す情報を取得した場合、前記情報取得手段で取得した前記認証デバイスの識別情報および処理要求情報と対応する処理能力を有する端末を前記複数の端末の中から選択する選択手段と
を備えることを特徴とする通信制御装置。
【請求項５】
複数の端末における優先順位を設定する優先順位設定手段を備えており、
前記選択手段は、前記識別情報と対応する処理要求を満たす処理能力を有する端末が複数ある場合、その複数の端末のうち前記優先順位設定手段によって設定された優先順位に従って１つの端末を選択する
ことを特徴とする請求項４記載の通信制御装置。
【請求項６】
前記選択手段によって選択された端末を前記認証デバイスのユーザに通知する通知手段を備えている
ことを特徴とする請求項４記載の通信制御装置。
【請求項７】
ユーザが所持する認証デバイスとの間で無線通信によって認証を行う複数の端末およびこの複数の端末と接続される通信制御装置とを備える通信制御システムにおいて、
前記通信制御装置は、
前記認証デバイスとの間で認証が成立した端末が複数ある場合、この複数の端末から各端末のアドレスおよび処理能力を示す情報ならびに前記認証デバイスの識別情報を取得る情報取得手段と、
前記情報取得手段で前記複数の端末のアドレスおよび処理能力を示す情報を取得した場合、前記情報取得手段で取得した前記認証デバイスの識別情報からその識別情報宛のデータを取り扱い可能な処理能力を有する端末を前記複数の端末の中から選択する選択手段と
を備えることを特徴とする通信制御システム。
【請求項８】
前記通信制御装置は、複数の端末における優先順位を設定する優先順位設定手段を備えており、
前記選択手段は、前記識別情報宛のデータを取り扱い可能な端末が複数ある場合、その複数の端末のうち前記優先順位設定手段によって設定された優先順位に従って１つの端末を選択する
ことを特徴とする請求項７記載の通信制御システム。
【請求項９】
前記端末は、前記通信制御装置の選択手段によって最適な端末として選択された場合、その旨を表示する出力手段を備えている
ことを特徴とする請求項７記載の通信制御システム。
【請求項１０】
前記通信制御装置は、前記選択手段によって選択された端末についてユーザの認証デバイスに知らせる通知手段を備えている
ことを特徴とする請求項７記載の通信制御システム。
【請求項１１】
前記通信制御装置は、複数の端末のうちいずれか１つに組み込まれている
ことを特徴とする請求項７記載の通信制御システム。
【請求項１２】
ユーザが所持する認証デバイスとの間で無線通信によって認証を行う複数の端末およびこの複数の端末と接続される通信制御装置とを備える通信制御システムにおいて、
前記通信制御装置は、
前記認証デバイスとの間で認証が成立した端末が複数ある場合、この複数の端末から各端末のアドレスおよび処理能力を示す情報ならびに前記認証デバイスの識別情報を取得する情報取得手段と、
前記情報取得手段で前記複数の端末のアドレスおよび処理能力を示す情報を取得した場合、前記情報取得手段で取得した前記認証デバイスの識別情報および処理要求情報と対応する処理要求を満たす処理能力を有する端末を前記複数の端末の中から選択する選択手段と
を備えることを特徴とする通信制御システム。
【請求項１３】
前記通信制御装置は、複数の端末における優先順位を設定する優先順位設定手段を備えており、
前記選択手段は、前記識別情報宛のデータを取り扱い可能な端末が複数ある場合、その複数の端末のうち前記優先順位設定手段によって設定された優先順位に従って１つの端末を選択する
ことを特徴とする請求項１２記載の通信制御システム。
【請求項１４】
前記端末は、前記通信制御装置の選択手段によって最適な端末として選択された場合、その旨を表示する出力手段を備えている
ことを特徴とする請求項１２記載の通信制御システム。
【請求項１５】
前記通信制御装置は、前記選択手段によって選択された端末についてユーザの認証デバイスに知らせる通知手段を備えている
ことを特徴とする請求項１２記載の通信制御システム。
【請求項１６】
前記通信制御装置は、複数の端末のうちいずれか１つに組み込まれている
ことを特徴とする請求項１２記載の通信制御システム。
【発明の詳細な説明】
【技術分野】
【０００１】
本発明は、認証デバイスとの間で無線通信を用いて認証を行った複数の端末がある場合、その認証デバイスを所持するユーザに対して最適な端末を選択する通信制御装置および通信制御システムに関する。
【背景技術】
【０００２】
ユビキタスネットワークにおいては、だれでも、いつでも、どこでも情報をやり取りすることが求められる。逆に言うとユーザが居る空間に利用可能な端末が複数あるときは、その中からどれかひとつを選ぶ必要が生じる。従来のシステムにおいては、使用する端末をユーザが明示的に選び、ＩＤとパスワードをキーボードで入力し、ログインするという動作が必要である。しかしながら、この作業はひとつのストレスであり、ユビキタスネットワークの理想からは遠いものである。あくまでユーザが意識することなく、安全に最適な端末をネットワーク側が用意してくれることが望ましい。
【０００３】
特に、個人認証に無線ＵＩＭ（User Identity Module）を用いた場合、”自動的に近くの最適な端末が利用可能な状態になる”ことが求められる。その際、ユーザは明示的なログイン動作（例えばキーボードでＩＤとパスワードを打ち込むなど）を行うことはない。このようなシステムでは、無線ＵＩＭによる認証範囲に利用可能な端末が複数あることは通常起こりうることである。ここで、複数台ある端末の中から最適な通信を行う端末を選択する技術が特許文献１に開示されている。
【０００４】
【特許文献１】特開２００５−１３０２８７号公報
【発明の開示】
【発明が解決しようとする課題】
【０００５】
しかしながら、ユーザが認証デバイスを持ち歩き、その認証デバイスの近くにある端末との間で無線通信によって認証を行って端末を利用可能状態にするシステムにおいて、複数の端末が利用可能な場合にそれらの中から最適な端末を選択する仕組みは実現していない。このため、ユーザは利用可能な端末がいくつかあっても、どれを用いれば所望のサービスを受けることができるかを的確に判断することができず、利便性を損なうという問題が生じている。
【課題を解決するための手段】
【０００６】
本発明はこのような課題を解決するために成されたものである。すなわち、本発明は、認証デバイスとの間で無線通信によって認証が成立した複数の端末のうち、認証デバイスと対応する最適な端末を選択する通信制御装置において、複数の端末から各端末のアドレスおよび処理能力を示す情報ならびに認証デバイスの識別情報を取得する情報取得手段と、情報取得手段で複数の端末のアドレスおよび処理能力を示す情報を取得した場合、情報取得手段で取得した認証デバイスの識別情報からその識別情報宛のデータを取り扱い可能な処理能力を有する端末を複数の端末の中から選択する選択手段とを備えているものである。
【０００７】
このような本発明では、認証デバイスとの間で無線通信によって認証が成立した端末が複数ある場合、その認証デバイスの識別情報宛のデータを取り扱い可能な端末を自動的に選択することから、ユーザは自分宛のデータを処理できる端末を即座に利用できるようになる。
【０００８】
また、本発明は、認証デバイスとの間で無線通信によって認証が成立した複数の端末のうち、認証デバイスと対応する最適な端末を選択する通信制御装置において、複数の端末からその端末のアドレスおよび処理能力を示す情報ならびに認証デバイスの識別情報および処理要求情報を取得する情報取得手段と、情報取得手段で複数の端末のアドレスおよび処理能力を示す情報を取得した場合、情報取得手段で取得した認証デバイスの識別情報および処理要求情報と対応する処理要求を満たす処理能力を有する端末を前記複数の端末の中から選択する選択手段とを備えているものである。
【０００９】
このような本発明では、認証デバイスとの間で無線通信によって認証が成立した端末が複数ある場合、その認証デバイスから発信した処理要求情報と対応する処理能力を有する端末を自動的に選択することから、ユーザは希望するデータ処理を実現できる端末を即座に利用できるようになる。
【００１０】
また、本発明は、ユーザが所持する認証デバイスとの間で無線通信によって認証を行う複数の端末およびこの複数の端末と接続される通信制御装置とを備える通信制御システムにおいて、通信制御装置は、認証デバイスとの間で認証が成立した端末が複数ある場合、この複数の端末から各端末のアドレスおよび処理能力を示す情報ならびに認証デバイスの識別情報を取得する情報取得手段と、情報取得手段で複数の端末のアドレスおよび処理能力を示す情報を取得した場合、情報取得手段で取得した認証デバイスの識別情報からその識別情報宛のデータを取り扱い可能な処理能力を有する端末を複数の端末の中から選択する選択手段とを備えているものである。
【００１１】
このような本発明では、認証デバイスとの間で無線通信によって認証が成立した端末が複数ある場合、通信制御装置によって、その認証デバイスの識別情報宛のデータを取り扱い可能な端末を自動的に選択することから、ユーザは自分宛のデータを処理できる端末を即座に利用できるようになる。
【００１２】
また、本発明は、ユーザが所持する認証デバイスとの間で無線通信によって認証を行う複数の端末およびこの複数の端末と接続される通信制御装置とを備える通信制御システムにおいて、通信制御装置は、認証デバイスとの間で認証が成立した端末が複数ある場合、この複数の端末から各端末のアドレスおよび処理能力を示す情報ならびに認証デバイスの識別情報を取得する情報取得手段と、情報取得手段で複数の端末のアドレスおよび処理能力を示す情報を取得した場合、情報取得手段で取得した認証デバイスの識別情報および処理要求情報と対応する処理要求を満たす処理能力を有する端末を複数の端末の中から選択する選択手段とを備えるものである。
【００１３】
このような本発明では、認証デバイスとの間で無線通信によって認証が成立した端末が複数ある場合、通信制御装置によって、その認証デバイスから発信した処理要求情報と対応する処理能力を有する端末を自動的に選択することから、ユーザは希望するデータ処理を実現できる端末を即座に利用できるようになる。
【００１４】
ここで、認証デバイスとしては、例えばユーザが所持する無線ＵＩＭが用いられ、ユーザを特定できる情報が格納されたものである。また、端末としては各種サービスを利用できるパーソナルコンピュータ（メール機能、ウェブ閲覧機能、ファイル共有機能など）やＩＰ（Internet Protocol）電話、ファクシミリ装置などが考えられる。さらに、通信制御装置としては、ＩＰ電話サーバやネットワークルータなどが考えられる。
【発明の効果】
【００１５】
したがって、本発明によれば、ユーザはサービスによって端末を変える必要が無く、また、現在どのサービスが利用可能なのかを迅速に認識することが可能となる。しかも、ユーザは複数の端末の中で、どの端末が利用可能かを即座に認識することが可能となる。これにより、ユーザは自分が利用可能な端末がどれなのかを意識する必要が無くなり、ストレスの無いユビキタスネットワークを実現することが可能となる。
【発明を実施するための最良の形態】
【００１６】
以下、本発明の実施の形態を図に基づき説明する。
【００１７】
＜サーバ選択型＞
図１は、本実施形態に係るサーバ選択型の通信制御システムの構成を説明する模式図である。この通信制御システムは、無線ＵＩＭ１０を用いてＩＰ電話をユーザの近隣の最適な端末に自動的に着信する例である。システム構成としては、サービスを利用するユーザが携帯する無線ＵＩＭ（認証デバイス）１０と、サービスを終端するＩＰ電話端末（図１の例では端末ａ〜ｄ）と、ＩＰ電話サーバ（通信制御装置）２０とからなる。
【００１８】
このシステムにおいて、ユーザは認証デバイスである無線ＵＩＭ１０を携帯しており、各端末ａ〜ｄの各々の認証エリアに入ると自動的に無線ＵＩＭ１０と端末との間で無線通信による認証が行われ、認証成立した端末についてユーザが利用可能となる。本実施形態では、図示しない他のユーザからＩＰ電話サーバ２０を経由して図１に示すユーザ宛にＩＰ電話の発信があり、ユーザにとって最適なＩＰ電話端末（端末ａ〜ｄのいずれか）を通信制御装置であるＩＰ電話サーバ２０が選択してその端末に着信させるものである。
【００１９】
図２は、無線ＵＩＭの内部構成を説明するブロック図である。無線ＵＩＭ１０は制御部１１を中心として操作ボタン１２、表示部１３、通信部１４、記憶部１５が設けられている。
【００２０】
操作ボタン１２は、ユーザが無線ＵＩＭ１０に対して各種の設定操作を行うためのボタンである。表示部１３は、ユーザに対する通知や設定内容の確認等を行う出力手段である。通信部１４は、アンテナ１６を介して端末との間で無線通信による信号送受を行う部分である。記憶部１５は、例えばＩＳＯ７８１６規格に準拠したスマートカードＩＣのような書き換え不可能な記憶手段であり、ユーザ認証に必要な情報（認証情報）を格納する部分である。
【００２１】
このような無線ＵＩＭ１０はユーザが携帯しやすい態様によって実現される。例えば、ユーザが所持する携帯電話や社員証に組み込まれる。
【００２２】
図３は、端末の主要部構成を説明するブロック図である。このブロック図では、先に説明した無線ＵＩＭとの認証に必要な構成を示しており、制御部３１を中心として、通信部３２、表示部３３、ネットワークインタフェース３４、ＡＤコンバータ３５、ＤＡコンバータ３６を備えている。
【００２３】
通信部３２は、アンテナ３７を介して無線ＵＩＭとの間で無線通信による信号送受を行う部分である。表示部３３は、ユーザに対する通知やサービスの提供等を行う出力手段である。ネットワークインタフェース３４は、ネットワークと制御部３１との間の信号入出力を制御する部分である。ＡＤコンバータ３５は、マイクで取り込んだアナログの音声信号をデジタル信号に変換する部分である。ＤＡコンバータ３６は、ネットワークを介して送られてきたデジタル信号をアナログの音声信号に変換してスピーカへ出力する部分である。
【００２４】
このような端末では、アンテナ３７の感度範囲が認証のためのエリアとなり、無線ＵＩＭがこのエリア内に入ると自動的に認証処理を行って、認証が成立することによりそのユーザに対してサービスの提供が行える状態に制御される。したがって、ユーザは無線ＵＩＭを所持した状態で端末に近づくと、ＩＤやパスワードの入力など煩わしい操作をする必要なくその端末を利用できるようになる。
【００２５】
また、ＩＰ電話サーバ２０は通信制御装置として用いられるもので、無線ＵＩＭ１０との間で認証が成立した複数のＩＰ電話端末から各端末のアドレスおよび処理能力を示す情報ならびに無線ＵＩＭの識別情報を取得する情報取得手段と、この取得した無線ＵＩＭの識別情報からその識別情報宛のデータを取り扱い可能な処理能力を有するＩＰ電話端末を選択する選択手段とを備えている。また、ＩＰ電話サーバ２０は、必要に応じて端末選択を行う際に用いる優先順位をデータベース（以下、「ＤＢ」と言う。）として登録する優先順位設定手段を備えている。これら情報取得手段や選択手段、優先順位設定手段は、通信制御装置内で実行されるプログラムによって実現される。
【００２６】
本実施形態で適用されるＩＰ電話サービスの場合、無線ＵＩＭ１０の通信部１４とＩＰ電話端末の通信部３２とはお互いの間で電波強度を用いるなどして距離を測る仕組みを有しており、その距離が一定以下になるとユーザが近接したと判断する（図４参照）。
【００２７】
そして、ユーザ（無線ＵＩＭ１０）が近接したと判断した場合、ＩＰ電話端末を介して無線ＵＩＭ１０とＩＰ電話サーバ２０間で認証を行う。認証は無線ＵＩＭ１０内の記憶部１５であるスマートカードＩＣに格納された証明書を使ったＳＳＬ（Secure Socket Layer）を用いる。
【００２８】
次いで、ＳＩＰ（Session Initiation Protocol）を使って、認証が成立した各々の端末の位置、ユーザＩＤ、端末の能力をＩＰ電話サーバ２０に登録する（図５参照）。図５に示す例では、端末ｂ、ｃ、ｄの３つがユーザの無線ＵＩＭ１０と認証成立しており、各端末ｂ、ｃ、ｄからＩＰ電話サーバ２０へ上記の登録が行われる。
【００２９】
ＩＰ電話サーバ２０は、ＩＰ電話端末から送られた位置情報(ＩＰアドレス、ポート番号)を端末位置ＤＢに登録する（情報取得手段）。また、ＩＰ電話サーバ２０は、ＩＰ電話端末から送られた能力情報(音声、画像、テキスト、データファイル通信の可否)を端末能力ＤＢに登録する（情報取得手段）。また、ＩＰ電話サーバ２０は、優先的に着信を受け付ける端末(優先着信端末)を優先着信端末ＤＢに登録する（優先順位設定手段）。
【００３０】
さらに、オプションとしてこれらの登録の際に、ユーザの設定で任意のサービスの許可／拒否／優先度を事前に設定することもできる。すなわち、無線ＵＩＭ１０には表示部１３および操作ボタン１２があり（図２参照）、ユーザがＶｏＩＰ（ＯＮ）、ＴＶ電話（ＯＦＦ）、ＦＡＸ（ＯＮ）などの設定を行うことができる（図６参照）。
【００３１】
図６に示す例では、表示されるサービスのうち、ユーザが希望する（許可する）サービスのチェックボックスにチェックマークを入れる（ここでは、ＶｏＩＰとＴＶ電話）。これにより、設定してあるサービスのみを受けることができる。
【００３２】
上記ユーザの設定は、優先メディアＤＢに登録される。優先メディアＤＢはユーザ毎に指定された優先メディアを登録するデータベースである。各端末からＩＰ電話を発信する場合、利用するメディアの情報を通話開始要求に付加してＩＰ電話サーバ２０に送信するため、優先メディアＤＢを用いて優先着信端末で着信を受け付けるメディアをユーザ毎に指定できるようになる。
【００３３】
ＩＰ電話サーバ２０はリクエスト処理部（図示せず）で通話開始要求を受信し、着信先端末選択部（選択手段）において端末位置ＤＢ、端末能力ＤＢ、優先着信端末ＤＢ、優先メディアＤＢから着信先ユーザの情報を取得し、各ＤＢの内容に従い最適な着信先端末を選択し、リクエスト処理部から当該端末に通話開始要求を送信する。着信した端末は通話開始応答を返信し、これによって端末同士で通話が開始される。
【００３４】
例えば、図５に示すユーザ宛のＩＰ電話サービスがＴＶ電話であった場合、端末位置ＤＢに登録された端末ｂ、ｃ、ｄのうち、端末能力ＤＢでＴＶ電話に対応できる端末として登録された端末ｂを最適なものとして選択する。なお、ＴＶ電話に対応できる端末が複数ある場合には、優先着信端末ＤＢに登録された最優先の端末が選択される。
【００３５】
このように、ユーザ宛にＩＰ電話が発信された場合、ＩＰ電話サーバ（通信制御装置）は、そのユーザの所持する無線ＵＩＭと認証が成立した端末のうち、処理要求（ＩＰ電話サービス）を取り扱い可能な端末を選択し、また取り扱い可能な端末が複数ある場合には予め設定された優先順位に基づき最適な端末を選択する。したがって、そのユーザにとって最適なＩＰ電話端末をＩＰ電話サーバが自動的に選択することから、ユーザは最も利用しやすい端末から着信を受けることが可能となる。
【００３６】
＜クライアント選択型＞
上記サーバ選択型の通信制御システムではサーバでサービスを選択できる構成であるが、別途サーバが必要となる。そこで、以下に説明する実施形態では、複数のＩＰ電話端末間で調整を行い、ＩＰ電話をユーザの近隣の最適な端末に自動的に着信する例である。
【００３７】
すなわち、本実施形態の通信制御システムでは、図９に示すＵＰｎＰ（マイクロソフト社商標）の機能を用いてＩＰ電話端末のうち一台をコントロールポイントとして設定し、その他のＩＰ電話端末をデバイスとして情報の管理を行う。つまり、コントロールポイントとして設定された端末が、端末自体の機能のほか、通信制御装置としての役目も果たすことになる。
【００３８】
本実施形態では、例えば図７に示すように、コントロールポイントとして予め設定されたＩＰ電話端末一台（端末ｄ）がブロードキャストパケットによってディスカバリを行い、近隣のＩＰ電話端末（端末ａ、ｂ、ｃ）の発見を行う。
【００３９】
また、ＵＰｎＰディスクリプション機能を用いて、ディスカバリによって検出したＩＰ電話端末（端末ａ、ｂ、ｃ）から、どのようなサービスが可能であるかという詳細な情報を取得、コントロールポイントのＩＰ電話端末はサービスＤＢとして保持する。
【００４０】
コントロールポイントである端末ｄによるディスカバリはネットワークに新たな端末が接続された際にも行われる。これにより、コントロールポイントの端末ｄではネットワークに接続された各端末の情報を取得することになる。
【００４１】
無線ＵＩＭ１０の通信部１４とＩＰ電話端末の通信部３２とはお互いの間で電波強度を用いるなどして距離を測る仕組みを有しており、その距離が一定以下になるとユーザの近接と判断する。近接を検知したＩＰ電話端末（図８に示す例では端末ａ、ｂ、ｃ）はコントロールポイントのＩＰ電話端末（図８に示す例では端末ｄ）にＵＰｎＰで通知する。その際にユーザが事前に無線ＵＩＭ１０で設定したサービスの許可／拒否／優先度を通知してもよい（図６参照）。図６に示す例では、表示されるサービスのうち、ユーザが希望するサービスのチェックボックスにチェックマークを入れる（ここでは、ＶｏＩＰとＴＶ電話）。
【００４２】
コントロールポイントのＩＰ電話端末（端末ｄ）は、複数の近接を検知したＩＰ電話端末（端末ａ、ｂ、ｃ）の中から、最適なものを選びＵＰｎＰで通知する。図８に示す例では、ＩＰ電話サーバを介してＴＶ電話がユーザ宛にかかってきた場合を示している。先に説明したサービスＤＢには、ＦＡＸができる端末としてＩＰ電話端末a、ＴＶ電話ができる端末としてＩＰ電話端末ｂ、ＶｏＩＰができる端末としてＩＰ電話端末ｃがそれぞれ登録されていることから、コントロールポイントであるＩＰ電話端末ｄはそのサービスＤＢの登録内容から、ＴＶ電話ができるＩＰ電話端末ｂを選択する。
【００４３】
次に、ＩＰ電話端末ｂを介して無線ＵＩＭ１０とＩＰ電話サーバ間で認証を行う。なお、この認証は最適な端末を選択する前、すなわち無線ＵＩＭ１０の近接を検知したＩＰ電話端末（端末ａ、ｂ、ｃ）の全てについて行っておいてもよい。認証は無線ＵＩＭ内の記憶部であるスマートカードＩＣ（図２参照）に格納された証明書を使ったＳＳＬを用いる。
【００４４】
次に、ＳＩＰ（Session Initiation Protocol）を使って、ＩＰ電話端末ｂの位置、ユーザＩＤ、端末の能力をＩＰ電話サーバに登録する。これにより、登録されたユーザＩＤ宛の着信はＩＰ電話端末ｂで利用可能となる。
【００４５】
このように、ＩＰ電話端末の一つをコントロールポイント（通信制御装置）として設定すれば、このコントロールポイントの端末によって他の端末の情報を収集し、ユーザへのサービス提供に最適な端末を選択することができ、別途サーバを用意しなくてもユーザにとって最適な端末の選択できるシステムを容易に構築できるようになる。
【００４６】
＜端末の把握＞
ユーザの近隣に利用可能な端末があっても、それにどのようなアプリケーションがインストールされているか、見た目だけでは把握できない。例えば、ユーザがＴＶ電話アプリケーションのインストールされている端末を利用したいと思っても、見ただけではわからない。このように、ユーザは近隣の端末が今現在どのサービスが利用可能であるか、迅速に判断できないという問題が生じる。
【００４７】
この問題を解決するため、以下の機能を利用する。すなわち、ユーザの無線ＵＩＭ１０と認証成立した端末はＩＰ電話サーバに登録された時点でサービスがアクティブになっていることがわかる。そこで、ＩＰ電話端末は無線ＵＩＭ１０にアクティブになったサービスの情報を通知し、どのサービスが今利用可能なのかを図６に示すような無線ＵＩＭ１０の表示部１３に表示することで、ユーザに知らせることができる。図６に示す例では、白色表示のサービス（ここでは、ＶｏＩＰとＴＶ電話）が利用可能であり、グレー表示のサービス（ここでは、ＦＡＸ）が利用不可能であることが分かる。
【００４８】
また、ユーザはどの端末が現在利用可能なのかがわからないということもある。例えばＩＰ電話を発信したいとき、目の前の複数のＩＰ電話端末のどれを使用することができるのか、ユーザにはわからない。そこで、無線ＵＩＭと認証成立して利用可能となった端末に、利用可能であることを示す表示を行う機能を設ける。
【００４９】
この場合、ＩＰ電話サーバやコントロールポイントとなったＩＰ電話端末から成る通信制御装置の選択手段は、無線ＵＩＭから送られた処理要求に対応して、この処理要求を満たす端末を自動的に選択し、ユーザに通知することになる。また、処理要求を満たす端末が複数ある場合には、優先順位設定手段によって設定された優先順位に従って１つの端末を選択する。
【００５０】
選択された端末の通知は、例えば、端末に設けられたランプの点滅等の表示や表示部でのメッセージ出力、音の発信等によって利用可能になっていることをユーザに知らせる。これにより、ユーザはどの端末を利用すべきかを的確に把握することができるようになる。
【００５１】
また、端末からユーザの無線ＵＩＭに対して利用可能な端末が分かるような情報を出力し、ユーザの無線ＵＩＭ上に利用可能な端末を指示するようにしても同様である。
【００５２】
＜ユーザからのサービス要求＞
上記サーバ選択型の通信制御システムでもクライアント選択型の通信制御システムでも、ユーザからサービスを要求する場合、ユーザは無線ＵＩＭ１０の操作ボタン１２を用いて希望するサービスの設定を行う。この設定は、図６に示すような表示部１３の表示を利用して、操作ボタン１２により希望するサービスのチェックボックスにチェックマークを入れておく。
【００５３】
この状態で端末の認証エリア内に入ると、無線ＵＩＭ１０を検知した端末と無線ＵＩＭ１０との間で無線通信による認証処理が行われる。認証は無線ＵＩＭ１０内の記憶部１５であるスマートカードＩＣに格納された証明書を使ったＳＳＬ（Secure Socket Layer）を用いる。この際、複数の端末との間で認証が成立すると、認証成立した端末から位置情報や能力情報が通信制御装置（サーバ選択型ではＩＰ電話サーバ２０、クライアント選択型ではコントロールポイント）に送られ、各種ＤＢに登録される（情報取得手段）。
【００５４】
その後、サーバ選択型ではＩＰ電話サーバ２０が、クライアント選択型ではコントロールポイントが、認証情報とともに無線ＵＩＭ１０から送られるユーザの希望サービスの情報（チェックボックスのチェックマークの情報）を取得し、ユーザの希望するサービスを処理可能な端末を自動的に選択する（選択手段）。
【００５５】
選択の条件は、先に登録された各種ＤＢの内容に基づき、ユーザの希望するサービスを処理可能な端末（処理可能な端末が複数ある場合には最もユーザから近いものや、優先順位の高いもの）を自動的に選択する。
【００５６】
例えば、ユーザが無線ＵＩＭ１０でＴＶ電話を希望する設定を行っていた場合、ユーザの近隣の端末のうち認証成立した端末で、ＴＶ電話を処理できる最も近いものが自動的に選択される。
【００５７】
最適な端末が選択された場合には、上記＜端末の把握＞で説明した方法によってどの端末が利用可能であるかをユーザに通知する。ユーザは、この通知に従い選択された端末の場所まで進む。ユーザがその端末の場所に到着した際には既に無線ＵＩＭ１０によって認証済みとなっていることから、ユーザはすぐに希望するサービスを利用できることになる。
【００５８】
つまり、ユーザは希望するサービスを自ら所持する無線ＵＩＭ１０に設定しておくだけで、そのサービスを利用可能な最適な端末がどれなのか把握でき、端末の場所に到着した際にはＩＤやパスワード等の認証操作をすることなく即座に利用することが可能となる。
【００５９】
このような本実施形態の通信制御システムによれば、ユーザはサービスによって端末を変える必要が無く、また、現在どのサービスが利用可能なのかを迅速に認識することが可能となる。しかも、ユーザは複数の端末の中で、どの端末が利用可能かを即座に認識することが可能となり、ユーザは自分が利用可能な端末がどれなのかを意識する必要が無く、ストレスの無いユビキタスネットワークを実現できることになる。
【図面の簡単な説明】
【００６０】
【図１】本実施形態に係るサーバ選択型の通信制御システムの構成を説明する模式図である。
【図２】無線ＵＩＭの内部構成を説明するブロック図である。
【図３】端末の主要部構成を説明するブロック図である。
【図４】無線ＵＩＭの検知を説明する模式図である。
【図５】ＩＰ電話端末の登録を説明する模式図である。
【図６】無線ＵＩＭの画面の例を示す模式図である。
【図７】端末情報収集を説明する模式図である。
【図８】近接情報を説明する模式図である。
【図９】デバイス検出を説明する模式図である。
【符号の説明】
【００６１】
１０…無線ＵＩＭ、１１…制御部、１２…操作ボタン、１３…表示部、１４…通信部、１５…記憶部、１６…アンテナ、２０…ＩＰ電話サーバ、３１…制御部、３２…通信部、３３…表示部、３４…ネットワークインタフェース、３５…ＡＤコンバータ、３６…ＤＡコンバータ、３７…アンテナ
【図１】
2007053641.tif 000003
【図２】
2007053641.tif 000004
【図３】
2007053641.tif 000005
【図４】
2007053641.tif 000006
【図５】
2007053641.tif 000007
【図６】
2007053641.tif 000008
【図７】
2007053641.tif 000009
【図８】
2007053641.tif 000010
【図９】
2007053641.tif 000011